(57)【要約】【課題】  携帯端末で撮影した画像データを受信し、編集処理を行なった後に、シール用紙に印刷を行なう画像プリント方法／装置において、ハサミ等を用いずに台紙にシールシートが貼付けられた状態で複数枚にカットすることが可能な画像プリント方法と画像プリント装置、及び画像プリントシールを提供する。【解決手段】  携帯端末から送信されたデータを受信する手順／手段と、受信したデータを表示する手順／手段と、表示されたデータを編集する手順／手段と、編集したデータの中でカッティングを行なう画像及び／又は切断用ガイド線の位置とカット種別とを指定する手順／手段と、指定内容に関するデータを記憶する手順／手段と、編集されたデータを印刷する手順／手段と、記憶されたデータに基づき画像プリントシールをカットする手順／手段とを備える。【選択図】  図１
2005111814.tif 000002
【特許請求の範囲】
【請求項１】
携帯端末から送信された画像、文字等のデータを、画像プリント装置の表示部に表示させ、この表示部に表示された画像、文字等のデータを利用者の任意の指示にしたがって編集し印刷する画像プリント方法であって、
携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手順と、
前記赤外線データ送受信手順により受信した画像データ及び／又は文字データを表示する手順と、
前記画像データ及び／又は文字データを表示する手順により表示された画像データ及び／又は文字データを、予め保存・蓄積されている任意のデータと組み合わせ、受信した画像データ及び／又は文字データを編集する手順と、
前記受信した画像データ及び／又は文字データを編集する手順により編集された画像データ及び／又は文字データの中で、画像の輪郭に沿ってカッティングを行なうカッティング画像、及び／又は、利用者がハサミ等を用いずに画像プリントシールを容易に分割可能とする切断用ガイド線の位置（座標）とカット種別とを指定する手順と、
前記カッティング画像及び／又は切断用ガイド線の位置（座標）とカット種別とを指定する手順により指定されたカッティング画像及び／又は切断用ガイド線の位置（座標）とカット種別に関するデータを記憶する手順と、
前記受信した画像データ及び／又は文字データを編集する手順により編集された画像データ及び／又は文字データを印刷する手順と、
前記カッティング画像及び／又は切断用ガイド線の位置（座標）とカット種別に関するデータを記憶する手順により記憶されたデータに基づき画像プリントシールをカットする手順と、
を備えたことを特徴とする画像プリント方法。
【請求項２】
前記カッティング画像及び／又は切断用ガイド線の位置（座標）とカット種別とを指定する手順において、画像プリントシールのシールシートのカットを行ない、且つ、該画像プリントシールのシールシートのカットが行なわれた台紙の同じ位置（座標）に点線カットを行なう旨の指定がなされた場合、
前記画像プリントシールをカットする手順は、該画像プリントシールのシールシートのみをカットする第１のカット手順と、
該画像プリントシールの台紙を点線カットする第２のカット手順と、
を備えたことを特徴とする請求項１に記載の画像プリント方法。
【請求項３】
前記カッティング画像及び／又は切断用ガイド線の位置（座標）とカット種別とを指定する手順において、画像プリントシールのシールシートのカットを行ない、且つ、該画像プリントシールのシールシートのカットが行なわれた台紙の同じ位置（座標）に点線カットを行なう旨の指定がなされた場合、
前記画像プリントシールをカットする手順は、該画像プリントシールのシールシートをカットしながら、同時に台紙を点線カットする同時カット手順を備えたことを特徴とする請求項１に記載の画像プリント方法。
【請求項４】
前記画像プリントシールをカットする手順において、カットする画像プリントシールを上から加圧し押さえる押圧手順及び／又は下から吸引する吸引手順を備えたことを特徴とする請求項１乃至３のいずれかに記載の画像プリント方法。
【請求項５】
携帯端末から送信された画像、文字等のデータを、表示部に表示させ、この表示部に表示された画像、文字等のデータを利用者の任意の指示にしたがって編集し印刷する画像プリント装置であって、
携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手段と、
前記赤外線データ送受信手段により受信した画像データ及び／又は文字データを表示する手段と、
前記画像データ及び／又は文字データを表示する手段により表示された画像データ及び／又は文字データを、予め保存・蓄積されている任意のデータと組み合わせ、受信した画像データ及び／又は文字データを編集する手段と、
前記受信した画像データ及び／又は文字データを編集する手段により編集された画像データ及び／又は文字データの中で、画像の輪郭に沿ってカッティングを行なうカッティング画像、及び／又は、利用者がハサミ等を用いずに画像プリントシールを容易に分割可能とする切断用ガイド線の位置（座標）とカット種別とを指定する手段と、
前記カッティング画像及び／又は切断用ガイド線の位置（座標）とカット種別とを指定する手段により指定されたカッティング画像及び／又は切断用ガイド線の位置（座標）とカット種別に関するデータを記憶する手段と、
前記受信した画像データ及び／又は文字データを編集する手段により編集された画像データ及び／又は文字データを印刷する手段と、
前記カッティング画像及び／又は切断用ガイド線の位置（座標）とカット種別に関するデータを記憶する手段により記憶されたデータに基づき画像プリントシールをカットする手段と、
を備えたことを特徴とする画像プリント装置。
【請求項６】
前記カッティング画像及び／又は切断用ガイド線の位置（座標）とカット種別とを指定する手段において、画像プリントシールのシールシートのカットを行ない、且つ、該画像プリントシールのシールシートのカットが行なわれた台紙の同じ位置（座標）に点線カットを行なう旨の指定がなされた場合、
前記画像プリントシールをカットする手段は、該画像プリントシールのシールシートのみをカットする第１のカット手段と、
該画像プリントシールの台紙を点線カットする第２のカット手段と、
を備えたことを特徴とする請求項５に記載の画像プリント装置。
【請求項７】
前記カッティング画像及び／又は切断用ガイド線の位置（座標）とカット種別とを指定する手段において、画像プリントシールのシールシートのカットを行ない、且つ、該画像プリントシールのシールシートのカットが行なわれた台紙の同じ位置（座標）に点線カットを行なう旨の指定がなされた場合、
前記画像プリントシールをカットする手段は、該画像プリントシールのシールシートをカットしながら、同時に台紙を点線カットする同時カット手段を備えたことを特徴とする請求項５に記載の画像プリント装置。
【請求項８】
前記画像プリントシールをカットする手段において、カットする画像プリントシールを上から加圧し押さえる押圧手段及び／又は下から吸引する吸引手段を備えたことを特徴とする請求項５乃至７のいずれかに記載の画像プリント装置。
【請求項９】
前記画像プリントシールをカットする手段において用いられるカット刃が金属製であって、且つ、その刃先にチタンコーティングがなされていることを特徴とする請求項５乃至８のいずれかに記載の画像プリント装置。
【請求項１０】
利用者により指示された画像、文字等のデータを、編集し印刷する画像プリント装置によって印刷された画像プリントシールであって、
画像プリントシールに印刷された画像のうち利用者により選択された画像又は全ての画像の輪郭データに基づき、及び／又は、利用者により指示された切断用ガイド線データに基づき、該画像プリントシールのシールシートがカットされ、且つ、台紙が点線カットされた状態としたことを特徴とする画像プリントシール。
【発明の詳細な説明】
【技術分野】
【０００１】
本発明は、画像プリント方法と画像プリント装置、及び画像プリントシールに関し、特に、携帯電話機から赤外線データ送信により送信された画像データ等を受信し、その画像データ等の修正・加工を行い所定のシール用紙等に印刷する画像プリント方法と画像プリント装置、及び印刷された画像プリントシールに関する。
【背景技術】
【０００２】
従来、ＣＣＤカメラ等により利用者を撮影し、撮影した画像と予め用意されているフレーム画像等とを合成して印刷するシール自動販売機にカッティングプロッタを装備し、画像印刷後に画像の輪郭に沿って（所定のカッティングデータに基づいて）シール用紙をカットすることで、利用者がハサミ等を用いることなく容易にシールシートを台紙から剥離することを可能としたシール自動販売機に関する発明が存在している（特開２０００−１８７７７５「シール自動販売機」）。
【０００３】
このシール自動販売機では、あくまで所定のカッティングデータに基づきシール用紙のシールシートのみをカットする処理のみが行なわれていた。
【０００４】
ここでいう「シールシート」とは、シール用紙の表面のシートで、シール用紙の台紙（裏面のシート）ではないシートを指す。
【０００５】
また、同様のシールプリント供給装置により印刷されるシールにカット対象となる画像の輪郭情報を含むバーコードを印刷しておけば、そのバーコードが印刷されたシールのバーコードを読み取り、利用者がカットすることを希望した画像の輪郭に沿ってシールをカットすることが可能なシールカッティングマシンに関する発明が存在している（特開２００１−００１２９５「シールカッティングマシン」）。
【０００６】
このシールカッティングマシンにおいても、やはり、あくまでバーコードに書かれた画像の輪郭情報に基づきシール用紙のシールシートのみをカットする処理のみが行なわれていた。
【発明の開示】
【発明が解決しようとする課題】
【０００７】
しかし、これら本発明と技術分野の類似する先願発明において、利用者に提供されるシールは、画像がプリントされたシールシートのみがカットされていたため、台紙からシールシートを剥がし易くはなるものの、ハサミ等を用いずに画像が印刷された１枚の画像プリントシールを台紙にシールシートが貼付けられた状態で複数枚にカットすることが困難であった。
【０００８】
本発明は、上述のような実情に鑑みてなされたものであり、カメラ付携帯電話機やデジタルカメラ等の携帯端末で撮影した画像データを赤外線データ通信等の通信手段により受信し、各種編集処理を行なった後に、シール用紙に印刷を行なう画像プリント方法と画像プリント装置において、利用者がハサミ等を用いずに画像が印刷された１枚の画像プリントシールを台紙にシールシートが貼付けられた状態で複数枚にカットすることが可能な画像プリント方法と画像プリント装置、及びそれらによって印刷された画像プリントシールの提供を目的とする。
【課題を解決するための手段】
【０００９】
本発明は上記目的を達成するため、請求項１に記載の発明は、携帯端末から送信された画像、文字等のデータを、画像プリント装置の表示部に表示させ、この表示部に表示された画像、文字等のデータを利用者の任意の指示にしたがって編集し印刷する画像プリント方法であって、携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手順と、前記赤外線データ送受信手順により受信した画像データ及び／又は文字データを表示する手順と、前記画像データ及び／又は文字データを表示する手順により表示された画像データ及び／又は文字データを、予め保存・蓄積されている任意のデータと組み合わせ、受信した画像データ及び／又は文字データを編集する手順と、前記受信した画像データ及び／又は文字データを編集する手順により編集された画像データ及び／又は文字データの中で、画像の輪郭に沿ってカッティングを行なうカッティング画像、及び／又は、利用者がハサミ等を用いずに画像プリントシールを容易に分割可能とする切断用ガイド線の位置（座標）とカット種別とを指定する手順と、前記カッティング画像及び／又は切断用ガイド線の位置（座標）とカット種別とを指定する手順により指定されたカッティング画像及び／又は切断用ガイド線の位置（座標）とカット種別に関するデータを記憶する手順と、前記受信した画像データ及び／又は文字データを編集する手順により編集された画像データ及び／又は文字データを印刷する手順と、前記カッティング画像及び／又は切断用ガイド線の位置（座標）とカット種別に関するデータを記憶する手順により記憶されたデータに基づき画像プリントシールをカットする手順と、を備えたことを特徴とする。
【００１０】
請求項２に記載の発明は、前記カッティング画像及び／又は切断用ガイド線の位置（座標）とカット種別とを指定する手順において、画像プリントシールのシールシートのカットを行ない、且つ、該画像プリントシールのシールシートのカットが行なわれた台紙の同じ位置（座標）に点線カットを行なう旨の指定がなされた場合、前記画像プリントシールをカットする手順は、該画像プリントシールのシールシートのみをカットする第１のカット手順と、該画像プリントシールの台紙を点線カットする第２のカット手順と、を備えたことを特徴とする。
【００１１】
請求項３に記載の発明は、前記カッティング画像及び／又は切断用ガイド線の位置（座標）とカット種別とを指定する手順において、画像プリントシールのシールシートのカットを行ない、且つ、該画像プリントシールのシールシートのカットが行なわれた台紙の同じ位置（座標）に点線カットを行なう旨の指定がなされた場合、前記画像プリントシールをカットする手順は、該画像プリントシールのシールシートをカットしながら、同時に台紙を点線カットする同時カット手順を備えたことを特徴とする。
【００１２】
請求項４に記載の発明は、前記画像プリントシールをカットする手順において、カットする画像プリントシールを上から加圧し押さえる押圧手順及び／又は下から吸引する吸引手順を備えたことを特徴とする。
【００１３】
請求項５に記載の発明は、携帯端末から送信された画像、文字等のデータを、表示部に表示させ、この表示部に表示された画像、文字等のデータを利用者の任意の指示にしたがって編集し印刷する画像プリント装置であって、携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手段と、前記赤外線データ送受信手段により受信した画像データ及び／又は文字データを表示する手段と、前記画像データ及び／又は文字データを表示する手段により表示された画像データ及び／又は文字データを、予め保存・蓄積されている任意のデータと組み合わせ、受信した画像データ及び／又は文字データを編集する手段と、前記受信した画像データ及び／又は文字データを編集する手段により編集された画像データ及び／又は文字データの中で、画像の輪郭に沿ってカッティングを行なうカッティング画像、及び／又は、利用者がハサミ等を用いずに画像プリントシールを容易に分割可能とする切断用ガイド線の位置（座標）とカット種別とを指定する手段と、前記カッティング画像及び／又は切断用ガイド線の位置（座標）とカット種別とを指定する手段により指定されたカッティング画像及び／又は切断用ガイド線の位置（座標）とカット種別に関するデータを記憶する手段と、前記受信した画像データ及び／又は文字データを編集する手段により編集された画像データ及び／又は文字データを印刷する手段と、前記カッティング画像及び／又は切断用ガイド線の位置（座標）とカット種別に関するデータを記憶する手段により記憶されたデータに基づき画像プリントシールをカットする手段と、を備えたことを特徴とする。
【００１４】
請求項６に記載の発明は、前記カッティング画像及び／又は切断用ガイド線の位置（座標）とカット種別とを指定する手段において、画像プリントシールのシールシートのカットを行ない、且つ、該画像プリントシールのシールシートのカットが行なわれた台紙の同じ位置（座標）に点線カットを行なう旨の指定がなされた場合、前記画像プリントシールをカットする手段は、該画像プリントシールのシールシートのみをカットする第１のカット手段と、該画像プリントシールの台紙を点線カットする第２のカット手段と、を備えたことを特徴とする。
【００１５】
請求項７に記載の発明は、前記カッティング画像及び／又は切断用ガイド線の位置（座標）とカット種別とを指定する手段において、画像プリントシールのシールシートのカットを行ない、且つ、該画像プリントシールのシールシートのカットが行なわれた台紙の同じ位置（座標）に点線カットを行なう旨の指定がなされた場合、前記画像プリントシールをカットする手段は、該画像プリントシールのシールシートをカットしながら、同時に台紙を点線カットする同時カット手段を備えたことを特徴とする。
【００１６】
請求項８に記載の発明は、前記画像プリントシールをカットする手段において、カットする画像プリントシールを上から加圧し押さえる押圧手段及び／又は下から吸引する吸引手段を備えたことを特徴とする。
【００１７】
請求項９に記載の発明は、前記画像プリントシールをカットする手段において用いられるカット刃が金属製であって、且つ、その刃先にチタンコーティングがなされていることを特徴とする。
【００１８】
請求項１０に記載の発明は、利用者により指示された画像、文字等のデータを、編集し印刷する画像プリント装置によって印刷された画像プリントシールであって、画像プリントシールに印刷された画像のうち利用者により選択された画像又は全ての画像の輪郭データに基づき、及び／又は、利用者により指示された切断用ガイド線データに基づき、該画像プリントシールのシールシートがカットされ、且つ、台紙が点線カットされた状態としたことを特徴とする画像プリントシールを提供する。
【発明の効果】
【００１９】
以上説明したように本発明によれば、カメラ付携帯電話機やデジタルカメラ等の携帯端末で撮影した画像データを赤外線データ通信等の通信手段により受信し、各種編集処理を行なった後に、シール用紙に印刷を行なう画像プリント方法と画像プリント装置において、ハサミ等を用いることなく画像が印刷された１枚の画像プリントシールを台紙にシールシートが貼付けられた状態で容易に複数枚にカットすることが可能となるため、利用者にとっては、例えば、友達と撮影した画像が印刷された画像プリントシールを切断用ガイド線に沿ってカットし、その友人と分け合うことや、また、画像プリントシールに印刷された特定の画像部分を台紙に貼付けたままの状態でその画像の略輪郭に沿ってカットし保管することができるようになり、一方、画像プリントシールサービス提供者にとっては、利用者に対するサービス向上によりコンペチターとの差別化をはかることができ、利用頻度の増加や収益性の向上が可能となる。
【発明を実施するための最良の形態】
【００２０】
本発明を実施するための最良の形態を以下に説明する。
【実施例】
【００２１】
図１は、本実施の形態の画像プリント装置のイメージ図である。図１中、１０は利用者の操作する携帯端末の一種であるカメラ付携帯電話機であり、１１は利用者であり、２０は画像プリント装置である。
【００２２】
なお、携帯端末の一種である携帯電話機１０は、静止画及び／又は動画の画像データや、文字データ等を一時的に記憶部に保存可能であって、これらのデータを赤外線データ通信で画像プリント装置２０へ送信可能な携帯端末（携帯電話機、デジタルカメラ、デジタルビデオ、携帯型ゲーム機、ＰＤＡ（Ｐｅｒｓｏｎａｌ  Ｄｉｇｉｔａｌ  Ａｓｓｉｓｔａｎｔ）等）であれば良いが、本実施の形態では、カメラ機能を有した携帯電話機に基づいて説明を行う。
【００２３】
ここで、カメラ機能を有した携帯電話機１０の構成について、図２の概略ブロック図に基づいて説明する。カメラ付携帯電話機１０は、該携帯電話機１０の全体を制御する制御部１０１と、テンキーや各種入力キーなどからなる入力部１０２と、無線通信・基地局を介しての通信などを行なう通信部１０３と、画像データや文字データなどを記憶する記憶部１０４と、各種情報を表示する表示部１０５と、受信した音声などを出力するスピーカー１０６と、音声などを入力するマイク１０７と、当該携帯電話機１０の各部に電源を供給するためのバッテリー１０８と、静止画や動画などの映像を撮影するカメラ１０９と、画像データや文字データなどを送受信可能な赤外線データ送受信部１１０とを備えている。
【００２４】
そして、カメラ付携帯電話機１０の記憶部１０４には、画像データを格納するための画像フォルダが設けられており、その画像フォルダに撮影された静止画や動画などの画像データが保存されている。
【００２５】
更に、画像フォルダに保存された画像データは、それぞれの画像毎に、フラグ・フォト番号・日時・タイトル・画像サイズ・ファイルの種類・画像データ等のフィールドを有するレコードにより管理され、そのうち、フラグ欄はその画像が自携帯のカメラで撮影した映像であるか、又は、他からダウンロードされた映像であるかが判断され、その結果、他からダウンロードされた映像であると判断された場合には、著作権・肖像権保護の目的でフラグが立ち、その画像の転送を禁止する。フォト番号欄は画像毎に割り当てられたユニークな番号を格納する。日時欄は画像を撮影した日時データを格納する。タイトル欄はデフォルトではブランクであるが、利用者（本画像プリント装置を利用する者を意味する。）１１によりその画像のタイトルが付与された場合にそのタイトルデータを格納する。画像サイズ欄は画像データのサイズを格納する。ファイルの種類欄は保存された画像データのファイル形式（例えば、ＪＰＥＧ、ＰＮＧ、ビットマップ、ＭＰＥＧ等）情報を格納する。画像データ欄には実際のデジタル画像データを格納する。
【００２６】
次に、画像プリント装置２０は、カメラ付携帯電話機１０から赤外線データ通信により画像データや文字データ等を受信することが可能であって、これら受信データの修正・加工等が表示画面（タッチパネル画面）上で可能であると共に、それらを画像プリントシール等の任意の用紙に印刷することができるものであれば良い。
【００２７】
カメラ付携帯電話機１０からの画像データや文字データ等の受信方法は、上述の赤外線データ通信に限らず、適宜周知の通信方法やメディアカード等の取外し可能な記憶媒体を用いて行なって良い。
【００２８】
ここで、画像プリント装置２０の構成について、図３の詳細イメージ図、及び、図４の概略ブロック図に基づいて説明する。画像プリント装置２０は、該画像プリント装置の全体を制御する制御部２０１と、タッチパネル式の液晶ディスプレイ（好ましくは、カラー液晶ディスプレイ）等の表示部２０２と、印刷を行なう画像の編集等に用いる各種データ等を記憶する記憶部２０３と、メモリ２０４と、画像データや文字データ等を送受信可能な赤外線データ送受信部２０５と、印刷処理を行なう印刷部２０６と、印刷処理を行なった画像プリントシールをカット部へ移動する紙送り部２０７と、画像プリントシールの各種カット処理を行なうカット部２０８と、お金の投入を受け付ける金銭投入部２０９と、カットされた画像プリントシールを排出する用紙排出部２１０と、赤外線データ送受信部２０５で受信したテキスト形式の画像データをＪＰＥＧ（ｊｏｉｎｔ  ｐｈｏｔｏｇｒａｐｈｉｃ  ｅｘｐｅｒｔｓ  ｇｒｏｕｐ）形式等に変換処理するデータ変換処理部２１１と、公衆回線網又は専用回線等の通信回線を介した通信が可能な通信部２１２とを備えている。また、コントロールレバーや各種ボタン等の入力部や、スピーカーや、マイクや、無停電電源ユニット（ＵＰＳ）等を適宜追加的に備えても良い。
【００２９】
そして、画像プリント装置の記憶部２０３には、画像プリントシールの印刷に用いるレイアウト・書体・背景・前景フレーム等のデータを保存蓄積したデータベースや、画像プリント装置の利用された日時・利用時間・利用者１１により選択されたレイアウトや背景の種類等に関する各種利用情報等を保存蓄積するための履歴データベースが構築されている。そして、この履歴データベースに保存蓄積された各種利用情報は、後に、集計業務やマーケティング等に利用される。
【００３０】
また、画像プリント装置の用紙排出部２１０より排出される画像プリントシールの印刷レイアウトの一例を図５のイメージ図に基づいて説明する。
【００３１】
画像プリント装置２０により編集され、印刷され、カットされ、排出される画像プリントシールには、図５のように、１枚のシール中に、利用者１１により選択され、編集された画像データ（カメラ付携帯電話機１０により撮影された画像データに基づき編集された画像データ等）や文字データ（利用者の氏名・電話番号・電子メールアドレス・住所等）等の編集データが印刷されるスペースが設けられている。
【００３２】
図５では、画像プリントシール中の９分割された長方形の区分の中にある丸いスペースが撮影された画像データが印刷されるスペースであり、その右横にある３段の細長い長方形のスペースが所有者データ等の文字データが印刷されるスペースである。
【００３３】
印刷される画像プリントシールのレイアウトは、図５のレイアウトに限らず、１枚のシール中に、画像データや文字データ等の編集データを１つまたは複数印刷可能なものであれば良く、適宜修正・変更することができる。
【００３４】
次に、本実施の形態の画像プリント方法／装置を用いた画像プリントシール作成の主な処理の流れを図６に基づいて説明する。
【００３５】
先ず、カメラ付携帯電話機１０に装備されたカメラ１０９により人物や動植物や風景等の撮影がなされる（Ｓ１０）。この撮影された画像データは、静止画データの場合は、通常、バイナリーデータとしてＪＰＥＧ（ｊｏｉｎｔ  ｐｈｏｔｏｇｒａｐｈｉｃ  ｅｘｐｅｒｔｓ  ｇｒｏｕｐ）形式で保存されているが、その他、ビットマップ・ディスプレイ（ｂｉｔ−ｍａｐｐｅｄ  ｄｉｓｐｌａｙ）形式、ＰＮＧ（ｐｏｒｔａｂｌｅ  ｎｅｔｗｏｒｋ  ｇｒａｐｈｉｃｓ）形式等でカメラ付携帯電話機１０の画像フォルダに保存される場合もある。また、動画データの場合は、通常、ＭＰＥＧ（ｍｏｖｉｎｇ  ｐｉｃｔｕｒｅ  ｅｘｐｅｒｔｓ  ｇｒｏｕｐ）形式で画像フォルダに保存される（Ｓ１１）。
【００３６】
次に、カメラ付携帯電話機１０において、この画像フォルダに保存された画像データの中から、送信処理を行う画像データの選択処理が行われると（Ｓ１２）、この選択された画像データがバイナリーデータからテキストデータに変換される変換処理が行われる（Ｓ１３）。
【００３７】
この変換処理の後、選択した画像データがテキストデータの形式で赤外線データ通信により、画像プリント装置２０へ送信される（Ｓ１４）。
【００３８】
また、場合によっては、画像プリント装置２０は、画像データだけでなく、予めカメラ付携帯電話機１０の記憶部に保存された文字データ（氏名・自携帯電話番号・自携帯電子メールアドレス等の所有者データや、アドレス帳データや、コメントデータや、スケジュール帳データ等）もカメラ付携帯電話機１０より赤外線データ通信により受信処理する。
【００３９】
カメラ付携帯電話機１０の記憶部に保存された文字データ（氏名・自携帯電話番号・自携帯電子メールアドレス等の所有者データや、アドレス帳データや、コメントデータや、スケジュール帳データ等）は、一般的にテキストデータの一種であるｖＣａｒｄやｖＣａｌｅｎｄａｒやｖＮｏｔｅの形式で保存されいるため、後に、画像プリント装置２０は、この受信した文字データをそのままの状態（テキストデータのまま）で表示処理を行なう。
【００４０】
なお、テキストデータに変換された画像データや、ｖＣａｒｄやｖＣａｌｅｎｄａｒやｖＮｏｔｅの形式で保存された文字データ等のオブジェクトはＩｒＭＣというデータ通信プロトコルを使ってカメラ付携帯電話機１０の赤外線送受信部から画像プリント装置２０の赤外線送受信部へ送信される。
【００４１】
ＩｒＭＣは、ＩｒＤＡ（Ｉｎｆｒａｒｅｄ  Ｄａｔａ  Ａｓｓｏｃｉａｔｉｏｎ）で規定されるデータ通信プロトコルのひとつで、モバイルコミュニケーション用に開発された汎用的なファイル転送機能を提供する規格である。
【００４２】
また、この赤外線データ通信時は、カメラ付携帯電話機１０の赤外線送受信部１１０と画像プリント装置２０の赤外線送受信部２０５とを、間に障害物を介さないかたちで、且つ、２０ｃｍ以内の距離で、対面させる状態で数秒間（５秒程度）動かさずに保持し、通信完了を待つのが望ましい。
【００４３】
画像プリント装置２０では、赤外線データ通信でカメラ付携帯電話機１０から送信された画像データを受信する（Ｓ１５）。画像プリント装置２０では、この画像データ受信後、データ変換処理部２１１において、受信したデータをテキストデータからＪＰＥＧ（ｊｏｉｎｔ  ｐｈｏｔｏｇｒａｐｈｉｃ  ｅｘｐｅｒｔｓ  ｇｒｏｕｐ）形式等に変換する変換プログラムを実行するデータ変換処理が行なわれる（Ｓ１６）。
【００４４】
このデータ変換処理の後、画像データを表示部２０２に表示する画像表示処理が行なわれる（Ｓ１７）。
【００４５】
表示部２０２は、タッチパネル形式となっているため、このタッチパネル画面にて、画像プリント装置の利用者１１は、表示された画像データと、画像プリント装置の記憶部２０３に保存蓄積された背景・書体・イラスト・前景フレーム等のデータとを組合せて任意の画像データを作成すると、画像プリント装置２０はこれを受付け編集処理を行なう（Ｓ１８）。
【００４６】
この編集処理の後、利用者１１により画像プリント装置の表示部（タッチパネル）２０２を用いて印刷を行なう画像が決定されると（Ｓ１９）、続いて、画像プリント装置２０は表示部２０２に印刷を行なう画像プリントシールの画像データを表示する。
【００４７】
そして、利用者１１が、この表示部２０２に表示された画像データの中から画像の輪郭に沿ってカッティングを行なう１つまたは複数のカッティング画像と、そのカット種別とを、タッチパネルを操作することにより指定すると（Ｓ２０）、画像プリント装置２０はこの指示を受付け、受付けたカッティング画像とそのカット種別に関するデータを記憶部２０３に記憶する。
【００４８】
ここでいう「カット種別」とは、カットの仕方のことで、例えば、Ａ．画像プリントシールのシールシートのみをカットする、Ｂ．シールシートをカットすると共に台紙を１ｍｍ間隔で点線カットする、Ｃ．シールシートをカットすると共に台紙を５ｍｍ間隔で点線カットする、Ｄ．シールシートと台紙の両方を１ｍｍ間隔で点線カットする、等のことである。
【００４９】
例えば、図７のように９分割（Ｆ０１〜Ｆ０９）された長方形の印刷スペースを有する画像プリントシールのレイアウトの中で、利用者１１のタッチパネルの操作によりＦ０１・Ｆ０２・Ｆ０４の画像データの輪郭情報に基づき、その位置（座標）のシールシートをカットすると共に台紙を１ｍｍ間隔で点線カットする旨の指定がなされると、画像プリント装置２０はその指示を受付け、受付けたカッティング画像とそのカット種別に関するデータを記憶部２０３に記憶する。
【００５０】
次に、利用者１１が、表示部２０２に表示された画像データの中から、ハサミ等を用いることなく画像プリントシールを容易に複数枚に分割するための切断用ガイド線の位置（座標）と、そのカット種別とを、タッチパネルを操作することにより指定すると（Ｓ２１）、画像プリント装置２０はこの指示を受付け、受付けた切断用ガイド線の位置（座標）とそのカット種別に関するデータを記憶部２０３に記憶する。
【００５１】
ここでいう「切断用ガイド線」とは、所謂ミシン目のようなものであり、利用者がハサミ等を用いずに画像プリントシールの分割を行なう際のガイドとなる線であればいかなる形状でも良い。
【００５２】
例えば、表示部２０２に表示された図８のような９つ（Ｆ１１〜Ｆ１９）の画像データ（星型、ハート型、三角形）が印刷される画像プリントシールのレイアウト表示の中で、利用者１１のタッチパネル操作により図９のＬ１とＬ２の２本の切断用ガイド線と、そのカット種別（例えば、シールシートをカットすると共に台紙を２ｍｍ間隔で点線カットする。）とが指定されると、画像プリント装置２０はその指示を受付け、受付けた切断用ガイド線とそのカット種別に関するデータを記憶部２０３に記憶する。
【００５３】
切断用ガイド線の指定は、利用者１１がタッチパネルを操作することによって自由に行なうことができ、その線は、直線でも曲線でも直線と曲線の組み合わせでも良く、また、画像プリントシールを裏側（台紙側）から見た場合に、図１０のＬ３とＬ４や、図１１のＬ５とＬ６のように縦方向に点線カットすることや、図１２のＬ７とＬ８のように横方向に点線カットすることや、図１３のＬ９のようにジグザグに点線カットすることや、更に、図１４のＬ１０のように任意の曲線で点線カットすることが可能である。
【００５４】
図１４は、画像プリントシールの台紙をハート型に点線カットした一例を示すイメージ図であるが、タッチパネル操作によりなされる切断用ガイド線の指定では、ハート型以外に円形・三角形・その他の多角形や有名キャラクタの輪郭の形状等の利用者１１の所望する任意の形状を自由に指定することができるのは勿論である。
【００５５】
これにより、従来は長方形であった画像プリントシールの形状を、切断用ガイド線を指定することで様々な形状の画像プリントシールにカッティングすることが可能となり、アミューズメント性をアップさせることができる。
【００５６】
Ｓ２０のカッティング画像と、そのカット種別の指定、及び／又は、Ｓ２１の切断用ガイド線の位置（座標）と、そのカット種別の指定により、例えば、１枚の画像プリントシールをカットしない画像と、シールシートのみがカットされた画像と、シールシートがカットされ且つ台紙が点線カットされた画像と、１本または複数本の切断用ガイド線と、が混在した画像プリントシールを作成することが可能である。
【００５７】
また、「点線カット」とは、切断部と非切断部と有するカット方法のことであり、その切断部と非切断部との比率や長さ等は適宜変更が可能である。
【００５８】
続いて、課金処理が行われる（Ｓ２２）。この課金処理は、即ち、画像プリント装置の表示部２０２に料金が表示され、この表示された料金を、利用者１１が、金銭投入部２０９に金銭を投入することにより行なわれる。
【００５９】
金銭が投入されたことを画像プリント装置２０が確認処理し、課金処理が完了すると、画像の印刷（印刷処理）が開始され、ロールタイプ等の所定の画像プリントシール印刷用紙に編集された画像や文字等のデータが印刷され（Ｓ２３）、印刷された画像プリントシール印刷用紙がロール紙の場合には、印刷部２０６が装備する用紙カット機構等により画像や文字等のデータが印刷された画像プリントシールが裁断される（Ｓ２４）。
【００６０】
印刷部２０６に用いるプリンタとしては、写真画質の印刷に適するものであれば各種のものが用いられる。例えば、昇華型プリンタや、インクジェット式プリンタや、カラーレーザープリンタ等が挙げられるが、これらの中でも、画質が優れるうえ印刷時間の比較的短い昇華型プリンタが最も好適に用いられる。
【００６１】
また、画像プリントシールの印刷に用いる印刷用紙は、上述のロール紙に限らず、予め所定のサイズにカットされているカット紙等でも良い。
【００６２】
印刷用紙にカット紙が用いられる場合には、Ｓ２４のシール裁断処理を行なわない（省略する）。
【００６３】
続いて、Ｓ２４のシール裁断処理により裁断された画像プリントシールが、紙送り部２０７によってカット部２０８へ送られる（Ｓ２５）。
【００６４】
このＳ２５の紙送り処理に用いる紙送り部２０７は、印刷部２０６で印刷され裁断された画像プリントシールをカット部２０８の給紙位置へ搬送可能なものであれば良く、各種の形状・性能のものが用いられる。
【００６５】
続いて、紙送り部２０７によって画像プリントシールが搬送されて、カット部２０８の給紙位置へセットされると、カット部２０８は、記憶部２０３に記憶されたカッティング画像とそのカット種別に関するデータに基づき、画像プリントシールをカットする画像カッティング処理を行なう（Ｓ２６）。
【００６６】
次に、カット部２０８は、記憶部２０３に記憶された切断用ガイド線の位置（座標）とそのカット種別に関するデータに基づき、画像プリントシールをカットする切断用ガイド線カッティング処理を行なう（Ｓ２７）。
【００６７】
ここで、Ｓ２６の画像カッティング処理とＳ２７の切断用ガイド線カッティング処理とを、カット部２０８が記憶部２０３に記憶されたカッティング画像とそのカット種別に関するデータと、切断用ガイド線の位置（座標）とそのカット種別に関するデータとに基づき、同時に行なっても良い。
【００６８】
カット部２０８に用いるカッティングプロッタとしては、シールシートが台紙に貼付いた状態の画像プリントシールのカットに適するものであれば各種のものが用いられる。例えば、画像プリントシールをカットするための超合金等の金属製の材質でできた針状のカット刃（カッター）が装着されたカッティングキャリッジを駆動機構により左右方向に移動させると共に、カット対象である画像プリントシールを送りローラーにより上下方向に移動させながらカッティングを行なうカッティングプロッタや、レーザーヘッドが装備され、そのレーザーヘッドよりカット対象である画像プリントシールへレーザービームを照射すると共に、カッティングキャリッジと画像プリントシールとを相対的に上下左右に移動させながらカッティングを行なうレーザーカッティング機能を有するレーザーカッティングプロッタ等が適宜用いられる。
【００６９】
上述のカッティングプロッタのカッティングキャリッジに装着された金属製のカット刃（カッター）は、そのカット刃（カッター）の寿命を向上させる目的で、その刃先にチタンコーティングが施されたものが望ましい。
【００７０】
また、Ｓ２６の画像カッティング処理とＳ２７の切断用ガイド線カッティング処理とを行なう場合、カット対象となる画像プリントシールの浮き防止（反り対策）の目的で、カット部２０８に用いるプロッタに、画像プリントシールのカット部分付近を上部（シールシート側）から加圧して押さえつける押圧機構や、画像プリントシールの全体または一部を下部（台紙側）から吸引する吸引機構を装備するのが望ましい。
【００７１】
Ｓ２６の画像カッティング処理とＳ２７の切断用ガイド線カッティング処理との具体的な処理の一例を図９に基づき説明する。
【００７２】
（１）先ず、図９のように星型、ハート型、三角形の輪郭を有する９つ（Ｆ１１〜Ｆ１９）の画像データが印刷された画像プリントシールが紙送り部２０７によって搬送されて、カット部２０８の給紙位置へセットされる。
（２）すると、カット部２０８は、記憶部２０３に記憶されたカッティング画像（例えば、カッティング画像＝Ｆ１１・Ｆ１３・Ｆ１７・Ｆ１８）とそのカット種別（例えば、カッティング画像のうち、Ｆ１１・Ｆ１３をシールシートのみカットし、Ｆ１７・Ｆ１８のシールシートをカットすると共にその台紙を１ｍｍ間隔で点線カットする。）に関するデータに基づき、画像プリントシールの指定されたカット対象の位置（指定された画像データの輪郭情報の座標）を指定されたカットの仕方（カット種別）でカットする画像カッティング処理を行なう。なお、上記の指定の場合には、先ず、Ｆ１１・Ｆ１３・Ｆ１７・Ｆ１８のシールシートのカットを行ない（第１のカット）、次に、Ｆ１７・Ｆ１８の台紙を１ｍｍ間隔に点線カットする（第２のカット）。
（３）次に、カット部２０８は、記憶部２０３に記憶された切断用ガイド線の位置（座標）（例えば、切断用ガイド線＝Ｌ１・Ｌ２の２本）とそのカット種別（例えば、Ｌ１とＬ２の２本の切断用ガイド線のシールシートをカットすると共にその台紙を２ｍｍ間隔で点線カットする。）に関するデータに基づき、画像プリントシールの指定されたカット対象の位置（指定された切断用ガイド線の座標）を指定されたカットの仕方（カット種別）でカットする切断用ガイド線カッティング処理を行なう。なお、上記の指定の場合には、先ず、Ｌ１・Ｌ２のシールシートのカットを行ない（第１のカット）、次に、Ｌ１・Ｌ２の台紙を２ｍｍ間隔に点線カットする（第２のカット）。
【００７３】
また、Ｓ２６の画像カッティング処理とＳ２７の切断用ガイド線カッティング処理において、画像プリントシールのシールシートのカットを行ない、且つ、該画像プリントシールのシールシートのカットが行なわれた台紙の同じ位置（座標）に点線カットを施す場合、これらの２つのカットを同時に行なう（つまり、シールシートをカットしながら、同時に台紙を点線カットしてゆく）同時カット手順／手段を備えた構成としても良い。同時カット手順／手段によれば、（２）及び（３）に記載の第１のカットと第２のカットを同時に行なうことで、カッティング時間の短縮をはかることが可能となる。
【００７４】
その後、Ｓ２６及びＳ２７のカッティング処理がなされた画像プリントシールが、画像プリント装置の用紙排出部２１０より排出される（Ｓ２８）。
【００７５】
なお、以上説明した図６に基づく画像プリントシール作成の主な処理の流れを図１５のような構成にしても良い。
【００７６】
図１５の画像プリントシール作成の主な処理の流れは、主に、印刷部２０６とカット部２０８の機能を併せ持つ（カッティングヘッドとプリンタヘッドの２つのヘッドを装備した）カッティングプリンタを用いる場合のものであり、図６の流れと同様に、Ｓ１０からＳ２３の処理が行なわれた後に、Ｓ２４のシール裁断処理を行なわずに、Ｓ２６とＳ２７のカッティング処理を行ない、その後、Ｓ２４のシール裁断処理を行なうもので、この場合、印刷部２０６とカット部２０８が一体型であるため、Ｓ２５の紙送り処理が不要となる。
【００７７】
以上説明した、本実施例に係る画像プリント方法と画像プリント装置、及び画像プリントシールによれば、カメラ付携帯電話機やデジタルカメラ等の携帯端末で撮影した画像データを赤外線データ通信等の通信手段により受信し、各種編集処理を行なった後に、シール用紙に印刷を行なう画像プリント方法と画像プリント装置において、ハサミ等を用いることなく画像が印刷された１枚の画像プリントシールを台紙にシールシートが貼付けられた状態で容易に複数枚にカットすることが可能となるため、利用者にとっては、例えば、Ａ．友達と撮影した画像が印刷された画像プリントシールを切断用ガイド線に沿ってカットし、その友人と分け合うことや、Ｂ．もともと長方形の画像プリントシールを切断用ガイド線に沿ってカットし、好みの形状（例えば、有名キャラクタの輪郭の形状）の画像プリントシールを作成することや、Ｃ．画像プリントシールに印刷された特定の画像部分を台紙に貼付けたままの状態でその画像の略輪郭に沿ってカットし保管することができるようになり、一方、画像プリントシールサービス提供者にとっては、利用者に対するサービス向上によりコンペチターとの差別化をはかることができ、利用頻度の増加や収益性の向上が可能となる。
【図面の簡単な説明】
【００７８】
【図１】画像プリント装置のイメージ図である。
【図２】カメラ機能を有した携帯電話機の構成の概略ブロック図である。
【図３】画像プリント装置の詳細イメージ図である。
【図４】画像プリント装置の構成の概略ブロック図である。
【図５】画像プリントシールの印刷レイアウトの一例を示したイメージ図である。
【図６】画像プリントシール作成の主な処理の流れを示した図である。
【図７】画像プリントシールの印刷レイアウトの一例を示したイメージ図である。
【図８】表示部に表示された画像プリントシールのレイアウトを示したイメージ図である。
【図９】表示部に表示された画像プリントシールのレイアウトを示したイメージ図である。
【図１０】裏側（台紙側）から見た画像プリントシールのイメージ図である。
【図１１】裏側（台紙側）から見た画像プリントシールのイメージ図である。
【図１２】画像プリントシールのレイアウトを示したイメージ図である。
【図１３】画像プリントシールのレイアウトを示したイメージ図である。
【図１４】画像プリントシールのイメージ図である。
【図１５】画像プリントシール作成の主な処理の流れを示した図である。
【符号の説明】
【００７９】
１０  カメラ付携帯電話機
１１  利用者
１０１  制御部
１０２  入力部
１０３  通信部
１０４  記憶部
１０５  表示部
１０６  スピーカー
１０７  マイク
１０８  バッテリー
１０９  カメラ
１１０  赤外線送受信部
２０  画像プリント装置
２０１  制御部
２０２  表示部（タッチパネル）
２０３  記憶部
２０４  メモリ
２０５  赤外線送受信部
２０６  印刷部
２０７  紙送り部
２０８  カット部
２０９  金銭投入部
２１０  用紙排出部
２１１  データ変換処理部
２１２  通信部
【図１】
2005111814.tif 000003
【図２】
2005111814.tif 000004
【図３】
2005111814.tif 000005
【図４】
2005111814.tif 000006
【図５】
2005111814.tif 000007
【図６】
2005111814.tif 000008
【図７】
2005111814.tif 000009
【図８】
2005111814.tif 000010
【図９】
2005111814.tif 000011
【図１０】
2005111814.tif 000012
【図１１】
2005111814.tif 000013
【図１２】
2005111814.tif 000014
【図１３】
2005111814.tif 000015
【図１４】
2005111814.tif 000016
【図１５】
2005111814.tif 000017
【手続補正書】
【提出日】平成16年1月7日(2004.1.7)
【手続補正１】
【補正対象書類名】特許請求の範囲
【補正対象項目名】全文
【補正方法】変更
【補正の内容】
【特許請求の範囲】
【請求項１】
携帯端末から送信された画像、文字等のデータを、画像プリント装置の表示部に表示させ、この表示部に表示された画像、文字等のデータを利用者の任意の指示にしたがって編集し印刷する画像プリント方法であって、
携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手順と、
前記赤外線データ送受信手順により受信した画像データ及び／又は文字データを表示する手順と、
前記画像データ及び／又は文字データを表示する手順により表示された画像データ及び／又は文字データを、予め保存・蓄積されている任意のデータと組み合わせ、受信した画像データ及び／又は文字データを編集する手順と、
前記受信した画像データ及び／又は文字データを編集する手順により編集された画像データ及び／又は文字データの中で、画像の輪郭に沿ってカッティングを行なうカッティング画像、及び、利用者がハサミ等を用いずに画像プリントシールを容易に分割可能とする切断用ガイド線の位置（座標）とカット種別とを指定する手順と、
前記カッティング画像及び切断用ガイド線の位置（座標）とカット種別とを指定する手順により指定されたカッティング画像及び切断用ガイド線の位置（座標）とカット種別に関するデータを記憶する手順と、
前記受信した画像データ及び／又は文字データを編集する手順により編集された画像データ及び／又は文字データを印刷する手順と、
前記カッティング画像及び切断用ガイド線の位置（座標）とカット種別に関するデータを記憶する手順により記憶されたデータに基づき画像プリントシールをカッティングプロッタ又はレーザーカッティングプロッタでカットする手順と、を備え、
前記カッティング画像及び切断用ガイド線の位置（座標）とカット種別とを指定する手順において、カット種別として、画像プリントシールのシールシートのカットを行ない、且つ、該画像プリントシールのシールシートのカットが行なわれた台紙の同じ位置（座標）に点線カットを行なう旨の指定がなされた場合には、
前記画像プリントシールをカッティングプロッタ又はレーザーカッティングプロッタでカットする手順において、先ず、該画像プリントシール中の指定されたカッティング画像及び／又は切断用ガイド線の位置（座標）のシールシートのみをカットする第１のカット手順と、
次に、該画像プリントシール中の指定されたカッティング画像及び／又は切断用ガイド線の位置（座標）の台紙を点線カットする第２のカット手順と、
がなされることを特徴とする画像プリント方法。
【請求項２】
携帯端末から送信された画像、文字等のデータを、表示部に表示させ、この表示部に表示された画像、文字等のデータを利用者の任意の指示にしたがって編集し印刷する画像プリント装置であって、
携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手段と、
前記赤外線データ送受信手段により受信した画像データ及び／又は文字データを表示する手段と、
前記画像データ及び／又は文字データを表示する手段により表示された画像データ及び／又は文字データを、予め保存・蓄積されている任意のデータと組み合わせ、受信した画像データ及び／又は文字データを編集する手段と、
前記受信した画像データ及び／又は文字データを編集する手段により編集された画像データ及び／又は文字データの中で、画像の輪郭に沿ってカッティングを行なうカッティング画像、及び、利用者がハサミ等を用いずに画像プリントシールを容易に分割可能とする切断用ガイド線の位置（座標）とカット種別とを指定する手段と、
前記カッティング画像及び切断用ガイド線の位置（座標）とカット種別とを指定する手段により指定されたカッティング画像及び切断用ガイド線の位置（座標）とカット種別に関するデータを記憶する手段と、
前記受信した画像データ及び／又は文字データを編集する手段により編集された画像データ及び／又は文字データを印刷する手段と、
前記カッティング画像及び切断用ガイド線の位置（座標）とカット種別に関するデータを記憶する手段により記憶されたデータに基づき画像プリントシールをカッティングプロッタ又はレーザーカッティングプロッタでカットする手段と、を備え、
前記カッティング画像及び切断用ガイド線の位置（座標）とカット種別とを指定する手段において、カット種別として、画像プリントシールのシールシートのカットを行ない、且つ、該画像プリントシールのシールシートのカットが行なわれた台紙の同じ位置（座標）に点線カットを行なう旨の指定がなされた場合には、
前記画像プリントシールをカッティングプロッタ又はレーザーカッティングプロッタでカットする手段において、先ず、該画像プリントシール中の指定されたカッティング画像及び／又は切断用ガイド線の位置（座標）のシールシートのみをカットする第１のカット手段と、
次に、該画像プリントシール中の指定されたカッティング画像及び／又は切断用ガイド線の位置（座標）の台紙を点線カットする第２のカット手段と、
がなされることを特徴とする画像プリント装置。
【手続補正２】
【補正対象書類名】明細書
【補正対象項目名】０００９
【補正方法】変更
【補正の内容】
【０００９】
本発明は上記目的を達成するため、請求項１に記載の発明は、携帯端末から送信された画像、文字等のデータを、画像プリント装置の表示部に表示させ、この表示部に表示された画像、文字等のデータを利用者の任意の指示にしたがって編集し印刷する画像プリント方法であって、携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手順と、前記赤外線データ送受信手順により受信した画像データ及び／又は文字データを表示する手順と、前記画像データ及び／又は文字データを表示する手順により表示された画像データ及び／又は文字データを、予め保存・蓄積されている任意のデータと組み合わせ、受信した画像データ及び／又は文字データを編集する手順と、前記受信した画像データ及び／又は文字データを編集する手順により編集された画像データ及び／又は文字データの中で、画像の輪郭に沿ってカッティングを行なうカッティング画像、及び、利用者がハサミ等を用いずに画像プリントシールを容易に分割可能とする切断用ガイド線の位置（座標）とカット種別とを指定する手順と、前記カッティング画像及び切断用ガイド線の位置（座標）とカット種別とを指定する手順により指定されたカッティング画像及び切断用ガイド線の位置（座標）とカット種別に関するデータを記憶する手順と、前記受信した画像データ及び／又は文字データを編集する手順により編集された画像データ及び／又は文字データを印刷する手順と、前記カッティング画像及び切断用ガイド線の位置（座標）とカット種別に関するデータを記憶する手順により記憶されたデータに基づき画像プリントシールをカッティングプロッタ又はレーザーカッティングプロッタでカットする手順と、を備え、前記カッティング画像及び切断用ガイド線の位置（座標）とカット種別とを指定する手順において、カット種別として、画像プリントシールのシールシートのカットを行ない、且つ、該画像プリントシールのシールシートのカットが行なわれた台紙の同じ位置（座標）に点線カットを行なう旨の指定がなされた場合には、前記画像プリントシールをカッティングプロッタ又はレーザーカッティングプロッタでカットする手順において、先ず、該画像プリントシール中の指定されたカッティング画像及び／又は切断用ガイド線の位置（座標）のシールシートのみをカットする第１のカット手順と、次に、該画像プリントシール中の指定されたカッティング画像及び／又は切断用ガイド線の位置（座標）の台紙を点線カットする第２のカット手順と、がなされることを特徴とする。
【手続補正３】
【補正対象書類名】明細書
【補正対象項目名】００１０
【補正方法】変更
【補正の内容】
【００１０】
請求項２に記載の発明は、携帯端末から送信された画像、文字等のデータを、表示部に表示させ、この表示部に表示された画像、文字等のデータを利用者の任意の指示にしたがって編集し印刷する画像プリント装置であって、携帯端末から赤外線データ送信された、カメラ機能を有した携帯端末のカメラにより撮影され且つ該携帯端末の記憶部に記憶された画像データ及び／又は予め該携帯端末の記憶部に記憶されている氏名・自携帯電話番号・自携帯電子メールアドレス等の文字データを受信する赤外線データ送受信手段と、前記赤外線データ送受信手段により受信した画像データ及び／又は文字データを表示する手段と、前記画像データ及び／又は文字データを表示する手段により表示された画像データ及び／又は文字データを、予め保存・蓄積されている任意のデータと組み合わせ、受信した画像データ及び／又は文字データを編集する手段と、前記受信した画像データ及び／又は文字データを編集する手段により編集された画像データ及び／又は文字データの中で、画像の輪郭に沿ってカッティングを行なうカッティング画像、及び、利用者がハサミ等を用いずに画像プリントシールを容易に分割可能とする切断用ガイド線の位置（座標）とカット種別とを指定する手段と、前記カッティング画像及び切断用ガイド線の位置（座標）とカット種別とを指定する手段により指定されたカッティング画像及び切断用ガイド線の位置（座標）とカット種別に関するデータを記憶する手段と、前記受信した画像データ及び／又は文字データを編集する手段により編集された画像データ及び／又は文字データを印刷する手段と、前記カッティング画像及び切断用ガイド線の位置（座標）とカット種別に関するデータを記憶する手段により記憶されたデータに基づき画像プリントシールをカッティングプロッタ又はレーザーカッティングプロッタでカットする手段と、を備え、前記カッティング画像及び切断用ガイド線の位置（座標）とカット種別とを指定する手段において、カット種別として、画像プリントシールのシールシートのカットを行ない、且つ、該画像プリントシールのシールシートのカットが行なわれた台紙の同じ位置（座標）に点線カットを行なう旨の指定がなされた場合には、前記画像プリントシールをカッティングプロッタ又はレーザーカッティングプロッタでカットする手段において、先ず、該画像プリントシール中の指定されたカッティング画像及び／又は切断用ガイド線の位置（座標）のシールシートのみをカットする第１のカット手段と、次に、該画像プリントシール中の指定されたカッティング画像及び／又は切断用ガイド線の位置（座標）の台紙を点線カットする第２のカット手段と、がなされることを特徴とする。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１３】
【補正対象書類名】明細書
【補正対象項目名】０００１
【補正方法】変更
【補正の内容】
【０００１】
本発明は、画像プリント方法と画像プリント装置に関し、特に、携帯電話機から赤外線データ送信により送信された画像データ等を受信し、その画像データ等の修正・加工を行い所定のシール用紙等に印刷する画像プリント方法と画像プリント装置に関する。
【手続補正１４】
【補正対象書類名】明細書
【補正対象項目名】０００８
【補正方法】変更
【補正の内容】
【０００８】
本発明は、上述のような実情に鑑みてなされたものであり、カメラ付携帯電話機やデジタルカメラ等の携帯端末で撮影した画像データを赤外線データ通信等の通信手段により受信し、各種編集処理を行なった後に、シール用紙に印刷を行なう画像プリント方法と画像プリント装置において、利用者がハサミ等を用いずに画像が印刷された１枚の画像プリントシールを台紙にシールシートが貼付けられた状態で複数枚にカットすることが可能な画像プリント方法と画像プリント装置の提供を目的とする。
【手続補正１５】
【補正対象書類名】明細書
【補正対象項目名】００７７
【補正方法】変更
【補正の内容】
【００７７】
以上説明した、本実施例に係る画像プリント方法と画像プリント装置によれば、カメラ付携帯電話機やデジタルカメラ等の携帯端末で撮影した画像データを赤外線データ通信等の通信手段により受信し、各種編集処理を行なった後に、シール用紙に印刷を行なう画像プリント方法と画像プリント装置において、ハサミ等を用いることなく画像が印刷された１枚の画像プリントシールを台紙にシールシートが貼付けられた状態で容易に複数枚にカットすることが可能となるため、利用者にとっては、例えば、Ａ．友達と撮影した画像が印刷された画像プリントシールを切断用ガイド線に沿ってカットし、その友人と分け合うことや、Ｂ．もともと長方形の画像プリントシールを切断用ガイド線に沿ってカットし、好みの形状（例えば、有名キャラクタの輪郭の形状）の画像プリントシールを作成することや、Ｃ．画像プリントシールに印刷された特定の画像部分を台紙に貼付けたままの状態でその画像の略輪郭に沿ってカットし保管することができるようになり、一方、画像プリントシールサービス提供者にとっては、利用者に対するサービス向上によりコンペチターとの差別化をはかることができ、利用頻度の増加や収益性の向上が可能となる。